(57)【要約】【課題】容器を載置するのみで炭酸ガスの抜け出しを防止する、飲料用容器支持具を提供することを課題とする。【解決手段】炭酸飲料が収容されたペットボトルを載置する載置台を備え、前記載置台は、前記ペットボトルの蓋部が嵌る穴部を有することを特徴とする飲料用容器支持具。【選択図】図１
0003211915.tif 000002
【実用新案登録請求の範囲】
【請求項１】
炭酸飲料が収容されたペットボトルを載置する載置台を備え、
前記載置台は、前記ペットボトルの蓋部が嵌る穴部を有することを特徴とする飲料用容器支持具。
【請求項２】
前記載置台は、前記ペットボトルを倒立状態で支持する支持部を有することを特徴とする、請求項１に記載の飲料用容器支持具。
【請求項３】
前記支持部は、前記ペットボトルの周囲を囲うように設けられる支持フレームと、前記支持フレームと前記載置台とを連結する立設部と、を有することを特徴とする、請求項２に記載の飲料用容器支持具。
【請求項４】
前記支持フレームは、略筒形状であることを特徴とする、請求項３に記載の飲料用容器支持具。
【請求項５】
前記支持フレームは、平面視でC字状をなし、可撓性材料により形成されていることを特徴とする、請求項３に記載の飲料用容器支持具。
【請求項６】
前記支持フレーム及び前記立設部は、互いに着脱可能に連結する連結部を有することを特徴とする、請求項５に記載の飲料用容器支持具。
【請求項７】
前記穴部及び前記支持部の少なくとも何れか一方が複数配置されてなることを特徴とする、請求項２〜６の何れかに記載の飲料用容器支持具。
【考案の詳細な説明】
【技術分野】
【０００１】
本考案は、飲料用容器の支持具に係り、特に、炭酸飲料が収容された飲料用容器の支持具に関する。
【背景技術】
【０００２】
従来から、炭酸飲料が充填された飲料用容器を開栓し、長期間保存すると、次第に炭酸ガスが抜け出してしまい、炭酸飲料特有の清涼感が損なわれてしまう、という問題点があった。
【０００３】
このような問題点を解決するために、特許文献１には、底部にピストンとシリンダーを設けた、炭酸飲料水容器用加圧密閉栓が記載されている。この密閉栓を容器に装着し、キャップ部を上下動させることで、容器内圧力を上昇させ、炭酸ガスの抜け出しを防止することが可能となる。
【０００４】
また、特許文献２には、炭酸飲料容器側面に接触する容器接触部と、該容器接触部を炭酸飲料容器の内部方向に押圧させる把持部と、該把持部により前記容器接触部を炭酸飲料容器の内部方向に押圧させた後に、その状態を保持させる押圧保持部と、を備えた、炭酸抜け防止器具が記載されている。これにより、容器内の気体を加圧させることができ、炭酸ガスの抜け出しを防止することが可能となる。
【０００５】
また、特許文献３には、容積を収縮させることができる容積収縮構造を備えたボトル本体と、このボトル本体の開口部を封止することができるキャップと、前記ボトル本体に設けられていて、容積が収縮したボトル本体を容積収縮状態に維持する収縮状態維持手段と、を備えた、飲料用ボトルが記載されている。これにより、飲み残し量に応じてペットボトルを潰した状態に維持できるため、炭酸ガスの抜け出しを防止することが可能となる。
【先行技術文献】
【特許文献】
【０００６】
【特許文献１】特開２０１５−１６４８６３号公報
【特許文献２】特開２０１３−２３７４９０号公報
【特許文献３】特許第５８９３２２９号
【考案の概要】
【考案が解決しようとする課題】
【０００７】
しかしながら、特許文献１に記載の密閉栓については、炭酸ガスの抜け出しを防止するために、キャップ部を上下動させる加圧作業が必要となる。さらに、該密閉栓を容器に元から備えられていた栓と交換する必要があり、装着する手間がかかる。
【０００８】
また、特許文献２に記載の器具についても、炭酸ガスの抜け出しを防止するために、把持部及び押圧保持部の操作による加圧作業が必要となる。
【０００９】
また、特許文献３に記載のボトルについても、炭酸ガスの抜け出しを防止するために、締め付け手段によりボトル本体を締め付ける加圧作業が必要となる。
【００１０】
本考案は上記のような実状に鑑みてなされたものであり、容器を載置するのみで炭酸ガスの抜け出しを防止する、飲料用容器支持具を提供することを課題とする。
【課題を解決するための手段】
【００１１】
上記課題を解決するために、本考案は、
炭酸飲料が収容されたペットボトルを載置する載置台を備え、
前記載置台は、前記ペットボトルの蓋部が嵌る穴部を有することを特徴とする。
【００１２】
本考案によれば、炭酸飲料が収容されたペットボトルを、蓋部を下にした倒立状態で載置することができ、これにより、ペットボトルの蓋部側の空間が液体で満たされる状態となる。即ち、炭酸ガスが最も抜け易い部分は、蓋部の僅かな隙間であるから、このような状態とすることで、炭酸ガスの抜け出しを防止でき、炭酸飲料特有の清涼感を長期間維持することが可能となる。
【００１３】
本考案の好ましい形態では、前記載置台は、前記ペットボトルを倒立状態で支持する支持部を有することを特徴とする。このような構成とすることで、倒立状態で載置した際、ペットボトルを安定的に支持でき、不意の転倒を防止することが可能となる。
【００１４】
本考案の好ましい形態では、前記支持部は、前記ペットボトルの周囲を囲うように設けられる支持フレームと、前記支持フレームと前記載置台とを連結する立設部と、を有することを特徴とする。このような構成とすることで、２つの部材の組み合わせにより、支持部の設計の自由度が向上する。
【００１５】
本考案の好ましい形態では、前記支持フレームは、略筒形状であることを特徴とする。このような構成とすることで、ペットボトルと支持フレームとの接地面積が増加し、倒立状態で載置した際の安定感がさらに向上する。
【００１６】
本考案の好ましい形態では、前記支持フレームは、平面視でC字状をなし、可撓性材料により形成されていることを特徴とする。このような構成により、ペットボトルを、起立状態若しくは倒立状態で固定支持することが可能となる。即ち、支持フレームの直径を、胴部の直径よりも若干小さく設計しておき、外力を加えて、直径を押し広げるように変形させる。そして、支持フレームにペットボトルを挿通させることにより、外力を除荷した際、支持フレームの変形が元に戻り、支持フレームがペットボトルの胴部を締め付け、ペットボトルが起立状態若しくは倒立状態で固定支持される。
【００１７】
本考案の好ましい形態では、前記支持フレーム及び前記立設部は、互いに着脱可能に連結する連結部を有することを特徴とする。このような構成とすることで、支持フレームを、ペットボトルを固定支持した状態のまま取り外すことができ、炭酸飲料をコップに注ぐ等の作業を簡易に行うことが可能となる。
【００１８】
本考案の好ましい形態では、前記穴部及び前記支持部の少なくとも何れか一方が複数配置されてなることを特徴とする。このような構成とすることで、１つの載置台上に、複数のペットボトルを、起立状態若しくは倒立状態で載置することができ、コンパクトなスペースに効率良く保存しておくことが可能となる。
【考案の効果】
【００１９】
本考案によれば、容器を載置するのみで炭酸ガスの抜け出しを防止する、飲料用容器支持具を提供することができる。
【図面の簡単な説明】
【００２０】
【図１】本考案の実施形態１に係る飲料用容器支持具を示すものであって、（ａ）ペットボトルを載置していない状態の斜視図、（ｂ）ペットボトルを載置した状態の斜視図である。
【図２】本考案の実施形態１に係る飲料用容器支持具を示すものであって、（ａ）一の支持フレームを立設部から取り外した際の斜視図、（ｂ）支持フレームの平面図、（ｂ）立設部の平面図である。
【図３】本考案の実施形態１に係る飲料用容器支持具にペットボトルを載置した際の一側面図である。
【図４】本考案の実施形態２に係る飲料用容器支持具を示すものであって、（ａ）ペットボトルを載置していない状態の斜視図、（ｂ）ペットボトルを載置した状態の斜視図である。
【図５】本考案の実施形態３に係る飲料用容器支持具を示すものであって、（ａ）ペットボトルを載置していない状態の斜視図、（ｂ）ペットボトルを載置した状態の斜視図である。
【図６】本考案の実施形態４に係る飲料用容器支持具を示すものであって、（ａ）ペットボトルを載置していない状態の斜視図、（ｂ）ペットボトルを載置した状態の斜視図である。
【考案を実施するための形態】
【００２１】
＜実施形態１＞
以下、本考案の実施形態１に係る飲料用容器支持具について図１〜図３を参照して詳細に説明する。
図１より、本実施形態に係る飲料用容器支持具は、床面等に略水平に置かれ、炭酸飲料が収容されたペットボトル１（以下単にペットボトル１と呼ぶ）を載置する、直方体状の載置台２を備え、載置台２は、ペットボトル１の蓋部が嵌る凹み状の穴部３を、間隔を置いて２つ有している。
【００２２】
また、載置台２は、支持部４として、円筒の側面を部分的に切断することにより、平面視でC字状をなす２つの支持フレーム４ａと、薄板状の立設部４ｂと、を有している。また、各支持フレーム４ａ及び立設部４ｂは、それぞれ互いに着脱可能な連結部５として、嵌合突起５ａ及び嵌合溝５ｂを有している。
【００２３】
立設部４ｂは、その幅方向と載置台２の幅方向とが平行となるように、載置台２に略垂直に固定されている。立設部４ｂの形状は、薄板状でなくても良く、例えば、直方体状や円柱状等であっても良い。
【００２４】
各支持フレーム４ａは、立設部４ｂの対向する二面から略水平に、各連結部５を介して、かつ各穴部３と略同軸上に位置するように一対突設されており、載置台２の短辺と対向する側に、側面を部分的に切断することにより形成された開口部が設けられている。また、各支持フレーム４ａの内径は、ペットボトル１の胴部の外径よりもやや小さく設計されており、可撓性材料により形成されている。可撓性材料として、合成樹脂等が考えられる。
【００２５】
また、図１（ｂ）に示す様な状態とするために、まず、可撓性材料により形成された各支持フレーム４ａに外力を加えて、直径を押し広げるように変形させる。次に、ペットボトル１を、各支持フレーム４ａに挿通させる。こうすることで、外力を除荷した際、各支持フレーム４ａの変形が元に戻り、各支持フレーム４ａがペットボトル１の胴部を締め付け、ペットボトル１が倒立状態で固定支持される。
さらに、蓋部を上にする起立状態であっても、安定的にペットボトル１を支持することができる。
【００２６】
図２より、嵌合突起５ａ及び嵌合溝５ｂは、それぞれ平面視で略T字状をなしており、嵌合溝５ｂの下端は閉じられている。よって、支持フレーム４ａは、嵌合突起５ａ及び嵌合溝５ｂが嵌め合わされた状態で、上方向にのみ摺動させることができ、これにより容易に立設部４ｂから取り外すことができる。
【００２７】
図３より、穴部３は、蓋部が完全に埋まる程度の深さで形成されているが、深さは特にこれに限定されず、極端には先端が僅かに埋まる程度であっても良い。また、穴部３は、貫通孔として形成しても良い。
【００２８】
本実施形態によれば、載置台２及び穴部３により、炭酸飲料が収容されたペットボトルを、蓋部を下にした倒立状態で載置することができ、これにより、炭酸ガスの抜け出しを防止し、炭酸飲料特有の清涼感を長期間維持することが可能となる。
【００２９】
また、載置台２が、ペットボトル１を倒立状態で支持する支持部４を有していることにより、ペットボトル１を、倒立状態で載置した際、安定的に支持でき、不意の転倒を防止することが可能となる。
【００３０】
また、支持部４が、ペットボトル１の周囲を囲うように設けられる支持フレーム４ａと、支持フレーム４ａと載置台２とを連結する立設部４ｂと、を有することにより、支持部４の設計の自由度が向上する。
【００３１】
また、支持フレーム４ａが、平面視でC字状をなし、可撓性材料により形成されていることから、ペットボトル１を、起立状態若しくは倒立状態で固定支持することが可能となる。
【００３２】
また、支持フレーム４ａ及び立設部４ｂが、それぞれ互いに着脱可能に連結する連結部５として、嵌合突起５ａ及び嵌合溝５ｂを有していることにより、支持フレーム４ａを、ペットボトル１を固定支持した状態のまま取り外すことができ、炭酸飲料をコップに注ぐ等の作業を簡易に行うことが可能となる。
【００３３】
また、穴部３、支持フレーム４ａ及び立設部４ｂを上記した位置関係とすることで、２つのペットボトル１を、コンパクトなスペースに効率良く、起立状態若しくは倒立状態で載置し、保存しておくことが可能となる。
【００３４】
＜実施形態２＞
以下、図４を用いて、本考案の実施形態２に関る飲料用容器支持具について説明する。なお、同実施形態において、先の実施形態と基本的に同一の構成要素については、同一符号を付してその説明を簡略化する。
【００３５】
本実施形態に係る飲料用容器支持具は、実施形態１と同様に、直方体状の載置台２を備え、載置台２は、ペットボトル１の蓋部が嵌る凹み状の穴部３を、間隔を置いて２つ有している。
【００３６】
また、載置台２は、支持部４として、２つの支持フレーム４ａと、薄板状の立設部４ｂと、を備えている。
【００３７】
立設部４ｂは、その幅方向と載置台２の幅方向とが平行となるように、載置台２に略垂直に固定されており、各支持フレーム４ａは、立設部４ｂの対向する二面から略水平に、各連結部５を介して、かつ各穴部３と略同軸上に位置するように一対突設されている。
また、支持フレーム４ａは単純な円筒形状であり、支持フレーム４ａ及び立設部４ｂは、着脱可能に連結する連結部５を設けずに一体形成されている。
【００３８】
本実施形態によれば、支持フレーム４ａは、円筒形状であることから、ペットボトル１と支持フレーム４ａとの接地面積が増加し、蓋部を下にして載置した際の安定感がさらに向上する。
【００３９】
また、支持フレーム４ａの内径を、ペットボトル１の胴部の外径との関係を厳密に考慮して設計する必要がなく、少ない部材で簡易に製造が可能となる。
【００４０】
＜実施形態３＞
以下、図５を用いて、本考案の実施形態３に関る飲料用容器支持具について説明する。なお、同実施形態において、先の実施形態と基本的に同一の構成要素については、同一符号を付してその説明を簡略化する。
【００４１】
本実施形態に係る飲料用容器支持具は、実施形態１と同様に、直方体状の載置台２を備え、載置台２は、載置台２は、ペットボトル１の蓋部が嵌る凹み状の穴部３を、間隔を置いて２つ有している。
【００４２】
また、載置台２は、支持部４として、２つの支持フレーム４ａと、薄板状の立設部４ｂと、を備えている。
【００４３】
立設部４ｂは、その幅方向と載置台２の幅方向とが平行となるように、載置台２に略垂直に固定されており、各支持フレーム４ａは、立設部４ｂの対向する二面から略水平に、各連結部５を介して、かつ各穴部３と略同軸上に位置するように一対突設されている。
【００４４】
支持フレーム４ａは単純なリング状であり、支持フレーム４ａ及び立設部４ｂは、着脱可能に連結する連結部５を設けずに一体形成されている。
【００４５】
本実施形態によれば、支持フレーム４ａの内径を、ペットボトル１の胴部の外径との関係を厳密に考慮して設計する必要がなく、少ない部材で簡易に製造でき、軽量で取扱い易い構造とすることが可能となる。
【００４６】
＜実施形態４＞
以下、図６を用いて、本考案の実施形態４に関る飲料用容器支持具について説明する。なお、同実施形態において、先の実施形態と基本的に同一の構成要素については、同一符号を付してその説明を簡略化する。
【００４７】
本実施形態に係る飲料用容器支持具は、実施形態１と同様に、直方体状の載置台２を備え、載置台２は、載置台２は、ペットボトル１の蓋部が嵌る凹み状の穴部３を、等間隔に５つ有している。
【００４８】
また、載置台２は、支持部４として、円筒の側面を部分的に切断することにより、平面視でC字状をなす２つの支持フレーム４ａと、薄板状の立設部４ｂと、を有している。また、各支持フレーム４ａ及び立設部４ｂは、それぞれ互いに着脱可能な連結部５として、嵌合突起５ａ及び嵌合溝５ｂを有している。
【００４９】
立設部４ｂは、その長手方向と、載置台２の長手方向と、が平行となるような位置関係で、載置台２に略垂直に固定されており、支持フレーム４ａが、立設部４ｂの一面から略水平にかつ等間隔に５つ突設されている。また、凹み状の各穴部３と各支持フレーム４ａは略同軸上に位置している。
【００５０】
本実施形態によれば、ペットボトル１の数が３つ以上であっても、コンパクトなスペースに効率良く、起立状態若しくは倒立状態で載置し、保存しておくことが可能となる。
【００５１】
なお、前記実施形態において示した各構成部材の諸形状や寸法等は一例であって、設計要求等に基づき種々変更可能である。
【符号の説明】
【００５２】
１    ペットボトル
２    載置台
３    穴部
４    支持部
４ａ  支持フレーム
４ｂ  立設部
５    連結部
５ａ  嵌合突起
５ｂ  嵌合溝
【図１】
0003211915.tif 000003
【図２】
0003211915.tif 000004
【図３】
0003211915.tif 000005
【図４】
0003211915.tif 000006
【図５】
0003211915.tif 000007
【図６】
0003211915.tif 000008